(57)【要約】    【課題】  広画角、高ズーム比で良好なる画像を容易に得ることができ、しかもカメラに適用したとき沈胴収納時のカメラの厚みを薄くすることができるズームレンズを得ること。    【解決手段】  物体側より像側へ順に、正の屈折力の第１レンズ群、負の屈折力の第２レンズ群から構成される前群、１以上のレンズ群を有する中間群、光路を折り曲げる反射手段、１以上のレンズ群を有する後群からなり、ズーミングに際して第１レンズ群と第２レンズ群と後群を構成する１以上のレンズ群が移動するズームレンズであって、ズームレンズの沈胴収納に際して、反射手段は後群の光軸方向に移動し、中間群は前群の光軸方向とは異なる方向に移動し、前群は前記反射手段の移動によって生じた空間に前群の少なくとも一部が位置するように、前群の光軸方向に移動し、広角端から望遠端へのズーミングにおける第１レンズ群の移動量Ｍ１、第２レンズ群の移動量Ｍ２を各々適切に設定すること。【選択図】    図１
2013235093.tif 000002
【特許請求の範囲】
【請求項１】
物体側より像側へ順に、正の屈折力の第１レンズ群、負の屈折力の第２レンズ群から構成される前群、１以上のレンズ群を有する中間群、光路を折り曲げる反射手段、１以上のレンズ群を有する後群からなり、
ズーミングに際して前記第１レンズ群と前記第２レンズ群と前記後群を構成する１以上のレンズ群が移動するズームレンズであって、
前記ズームレンズの沈胴収納に際して、前記反射手段は前記後群の光軸方向に移動し、前記中間群は前記前群の光軸方向とは異なる方向に移動し、前記前群は前記反射手段の移動によって生じた空間に前記前群の少なくとも一部が位置するように、前記前群の光軸方向に移動し、広角端から望遠端へのズーミングにおける前記第１レンズ群の移動量をＭ１、前記第２レンズ群の移動量をＭ２とするとき、
１．５＜Ｍ１／Ｍ２＜２０．０
なる条件式を満足することを特徴とするズームレンズ。
【請求項２】
前記後群はズーミングに際して移動するレンズ群ＬＳｐを有し、前記レンズ群ＬＳｐは開口絞りを有し、該ズームレンズの最も物体側のレンズ面である第１レンズ面から前記開口絞りまでの広角端における光軸上の距離をＬＳｗ、広角端から望遠端へのズーミングにおける前記レンズ群ＬＳｐの移動量をＭｓとするとき、
０．２０＜（Ｍ２＋Ｍｓ）／ＬＳｗ＜０．４４
なる条件式を満足することを特徴とする請求項１に記載のズームレンズ。
【請求項３】
前記第２レンズ群と前記中間群の合成系の広角端における撮影倍率をβ２Ｍｗ、前記第２レンズ群と前記中間群の合成系の望遠端における撮影倍率をβ２Ｍｔ、広角端における全系の焦点距離をｆｗ、望遠端における全系の焦点距離をｆｔとし、
Ｚ２Ｍ＝β２Ｍｔ／β２Ｍｗ、Ｚ＝ｆｔ／ｆｗ
とおいたとき、
０．３＜Ｚ２Ｍ／Ｚ＜０．６
なる条件式を満足することを特徴とする請求項１又は２に記載のズームレンズ。
【請求項４】
前記後群はズーミングに際して移動するレンズ群ＬＳｐを有し、前記レンズ群ＬＳｐは開口絞りを有し、該ズームレンズの最も物体側のレンズ面である第１レンズ面から前記開口絞りまでの広角端における光軸上の距離をＬＳｗ、広角端におけるレンズ全長をＯＡＬｗとするとき、
０．４０＜ＬＳｗ／ＯＡＬｗ＜０．６６
なる条件式を満足することを特徴とする請求項１乃至３のいずれか１項に記載のズームレンズ。
【請求項５】
前記第１レンズ群のうちアッベ数が最も大きい材料よりなる正レンズの材料のアッベ数と屈折率を各々νｄ１ｐ、ｎｄ１ｐとするとき、
６０．０＜νｄ１ｐ＜１００．０
１．４０＜ｎｄ１ｐ＜１．７０
なる条件式を満足することを特徴とする請求項１乃至４のいずれか１項に記載のズームレンズ。
【請求項６】
前記中間群は正の屈折力のレンズ群又は負の屈折力のレンズ群よりなることを特徴とする請求項１乃至５のいずれか１項に記載のズームレンズ。
【請求項７】
前記後群は、物体側から像側へ順に、負の屈折力のレンズ群、正の屈折力のレンズ群、負の屈折力のレンズ群、正の屈折力のレンズ群より構成され、物体側から数えて第２番目と第４番目のレンズ群がズーミングに際して移動することを特徴とする請求項１乃至６のいずれか１項に記載のズームレンズ。
【請求項８】
前記後群は、物体側より像側へ順に、正の屈折力のレンズ群、負の屈折力のレンズ群、正の屈折力のレンズ群より構成され、物体側から数えて第１番目と第３番目のレンズ群がズーミングに際して移動することを特徴とする請求項１乃至６のいずれか１項に記載のズームレンズ。
【請求項９】
前記中間群は、前記ズームレンズの沈胴収納に際して、前記前群の光軸と平行な軸を中心として回転し、前記中間群の光軸は、沈胴状態において、前記前群の光軸と前記後群の光軸で形成される平面外に位置することを特徴とする請求項１乃至８のいずれか１項に記載のズームレンズ。
【請求項１０】
前記中間群は、前記ズームレンズの沈胴収納に際して、前記前群の光軸と平行な軸を中心として回転し、前記中間群の光軸は、沈胴状態において、前記前群の光軸と前記後群の光軸から外れた領域に位置することを特徴とする請求項１乃至８のいずれか１項に記載のズームレンズ。
【請求項１１】
前記中間群は、前記ズームレンズの沈胴収納に際して、前記前群の光軸と前記後群の光軸に直交する軸を中心として回転し、前記中間群の光軸は、沈胴状態において、前記前群の光軸と前記後群の光軸とで形成される平面内に位置することを特徴とる請求項１乃至８のいずれか１項に記載のズームレンズ。
【請求項１２】
請求項１乃至１１のいずれか１項に記載のズームレンズと、該ズームレンズによって形成された像を受光する固体撮像素子を有することを特徴とする撮像装置。
【発明の詳細な説明】
【技術分野】
【０００１】
本発明はデジタルスチルカメラ、ビデオカメラ等に好適な小型で高ズーム比のズームレンズに関する。特に非撮影時に撮影装置全体の小型化が容易な携帯性に優れたズームレンズに関する。
【背景技術】
【０００２】
最近、撮像装置に用いられる撮影光学系は、広画角、高ズーム比で、全体が小型であることが求められており、特にカメラに適用したときカメラの厚みを薄くできるズームレンズであることが求められている。カメラの小型化とズームレンズの広画角化、高ズーム比化を図るため、非撮影時に各レンズ群の間隔を撮影状態と異なる間隔まで縮小してカメラ筐体内に収納する、所謂沈胴式のズームレンズが知られている。またカメラの厚みを薄くするために、撮影光学系の光軸を９０°折り曲げる反射部材を光路中に配置した、所謂屈曲式のズームレンズが知られている。
【０００３】
また沈胴式と屈曲式の両方式を複合した方式として非撮影時には反射部材が移動し反射部材が移動することによって生じた空間に反射部材の物体側に位置するレンズ群を沈胴収納するようにした所謂屈曲沈胴式のズームレンズが知られている（特許文献１乃至３）。
【０００４】
特許文献１では物体側から像側へ順に、正、負、正、正、負、正の屈折力の第１乃至第６レンズ群からなり、第３レンズ群に光路を略９０度に折り曲げる反射ミラーよりなる反射部材を配したズーム比１０程度のズームレンズを開示している。特許文献１では非撮影時に反射部材を折り畳み、第１、第２レンズ群を沈胴させている。
【０００５】
特許文献２では、正の屈折力の第１レンズ群、負の屈折力の第２レンズ群、開口絞りと、光路変換面を有する正の屈折力の第３レンズ群と、正の屈折力の第４レンズ群を有するズームレンズを開示している。特許文献３では、非撮影時でレンズ収納時に第２レンズ群を第１レンズ群の光軸とは異なる方向に退避させる構成の撮像装置を開示している。
【先行技術文献】
【特許文献】
【０００６】
【特許文献１】特開２００８−１０２３９８号公報
【特許文献２】特開２００２−１６９０８８号公報
【特許文献３】特開２００９−１２２６４０号公報
【発明の概要】
【発明が解決しようとする課題】
【０００７】
撮影光学系の光路を折り曲げる反射部材を備えると共に沈胴式を利用したズームレンズであれば高ズーム比化が容易で、またカメラに適用したときカメラの厚みを薄くすることが容易になる。しかしながら、これらの効果を得るためにはズームレンズのレンズ構成を適切に設定し、かつ反射部材の光路中の配置、そして沈胴収納時の各部材の沈胴方法等を適切に設定することが重要になってくる。
【０００８】
例えば、レンズ群の数、各レンズ群の屈折力配置、ズーミングの際の各レンズ群の移動条件等のレンズ構成や沈胴収納時の各部材の配置等を適切に設定することが重要になってくる。これらの構成が適切でないと、上記の効果を得ることが難しい。
【０００９】
特許文献１では、反射部材より物体側の第１レンズ群と第２レンズ群の変倍分担を強くしている。そしてズーミングに際しての第２レンズ群の移動量に比して第１レンズ群の移動量を少なくしている。この構成のまま、ズームレンズの広画角化を図ろうとすると、広角端において前玉が開口絞りの位置より遠くに配置されることとなり、広画角化に伴って前玉有効径が増大してくる。一方、第２レンズ群の移動量を小さくしようとすると、第２レンズ群の屈折力をより強くしなければならなくなり、広画角化・高ズーム比化に伴って像面彎曲が増大し、この補正が困難となる。
【００１０】
特許文献２ではズーミングに際して第１レンズ群を不動としている。この構成のまま、ズームレンズの広画角化、高ズーム比化を図ろうとすると、広角端において前玉が開口絞りの位置より遠くに配置されることとなり、広画角化に伴って前玉有効径が増大してくる。一方、第２レンズ群の移動量を小さくしようとすると、第２レンズ群の屈折力をより強くしなければならなくなり、広画角化に伴って像面彎曲が増大し、この補正が困難となる。
【００１１】
特許文献３では、沈胴収納時に第２レンズ群を第１レンズ群と異なる方向に退避させて沈胴収納時のカメラの厚みを薄くしている。しかしながら、第２レンズ群は開口絞りから遠い位置に配置されるため有効径が大きい。有効径が大きいレンズ群を沈胴収納時に前群の光軸とは違う方向に退避した場合、カメラの厚み方向に関しては薄くすることができる。しかしながら、第２レンズ群を収納するための大きな空間が必要となるため、光軸方向から見たときの前群の面積が大きくなり、結果的にカメラが大型化してくる。
【００１２】
本発明は、広画角、高ズーム比で良好なる画像を容易に得ることができ、しかもカメラに適用したとき沈胴収納時のカメラの厚みを薄くすることができるズームレンズ及びそれを用いた撮像装置を提供することを目的とする。
【課題を解決するための手段】
【００１３】
本発明のズームレンズは、
物体側より像側へ順に、正の屈折力の第１レンズ群、負の屈折力の第２レンズ群から構成される前群、１以上のレンズ群を有する中間群、光路を折り曲げる反射手段、１以上のレンズ群を有する後群からなり、ズーミングに際して前記第１レンズ群と前記第２レンズ群と前記後群を構成する１以上のレンズ群が移動するズームレンズであって、前記ズームレンズの沈胴収納に際して、前記反射手段は前記後群の光軸方向に移動し、前記中間群は前記前群の光軸方向とは異なる方向に移動し、前記前群は前記反射手段の移動によって生じた空間に前記前群の少なくとも一部が位置するように、前記前群の光軸方向に移動し、広角端から望遠端へのズーミングにおける前記第１レンズ群の移動量をＭ１、前記第２レンズ群の移動量をＭ２とするとき、
１．５＜Ｍ１／Ｍ２＜２０．０
なる条件式を満足することを特徴としている。
【発明の効果】
【００１４】
本発明によれば、広画角、高ズーム比で良好なる画像を容易に得ることができ、しかもカメラに適用したとき沈胴収納時のカメラの厚みを薄くすることができるズームレンズが得られる。
【図面の簡単な説明】
【００１５】
【図１】本発明の実施例１の光路を展開したときの広角端におけるレンズ断面図
【図２】本発明の実施例１の（Ａ）は広角端、（Ｂ）は中間のズーム位置、（Ｃ）は望遠端における収差図
【図３】本発明の実施例２の光路を展開したときの広角端におけるレンズ断面図
【図４】本発明の実施例２の（Ａ）は広角端、（Ｂ）は中間のズーム位置、（Ｃ）は望遠端における収差図
【図５】本発明の実施例３の光路を展開したときの広角端におけるレンズ断面図
【図６】本発明の実施例３の（Ａ）は広角端、（Ｂ）は中間のズーム位置、（Ｃ）は望遠端における収差図
【図７】本発明の実施例４の光路を展開したときの広角端におけるレンズ断面図
【図８】本発明の実施例４の（Ａ）は広角端、（Ｂ）は中間のズーム位置、（Ｃ）は望遠端における収差図
【図９】本発明の実施例５の光路を展開したときの広角端におけるレンズ断面図
【図１０】本発明の実施例５の（Ａ）は広角端、（Ｂ）は中間のズーム位置、（Ｃ）は望遠端における収差図
【図１１】本発明の実施例１のズームレンズの広角端におけるレンズ断面図
【図１２】本発明の実施例１のズームレンズの沈胴状態のレンズ断面図
【図１３】本発明の撮影時と沈胴状態のときの機構図
【図１４】本発明の撮影時と沈胴状態のときの機構図
【図１５】本発明の撮影時と沈胴状態のときの機構図
【図１６】本発明の撮像装置の要部概略図
【発明を実施するための形態】
【００１６】
以下に、本発明の好ましい実施の形態を、添付の図面に基づいて説明する。本発明のズームレンズは、物体側より像側へ順に、正の屈折力の第１レンズ群、負の屈折力の第２レンズ群から構成される前群を有する。更に１以上のレンズ群を有する中間群、光路を折り曲げる全反射プリズムや反射ミラー等の反射手段、１以上のレンズ群を有する後群を有する。
【００１７】
ズーミングに際して第１レンズ群と第２レンズ群と後群を構成する１以上のレンズ群が移動する。ズームレンズの沈胴収納に際して後群は後群の光軸方向であって像側へ移動する。反射手段は後群の光軸方向であって像側へ移動する。中間群は前群の光軸方向とは異なる方向に移動し、前群は反射手段の移動によって生じた空間に前群の少なくとも一部が位置するように、前群の光軸方向に移動する。
【００１８】
図１は本発明の実施例１のズームレンズの光路を展開したときの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比１５．０３、Ｆナンバー３．０７〜６．１８である。
【００１９】
図３は本発明の実施例２のズームレンズの光路を展開したときの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比１５．０３、Ｆナンバー３．０７〜６．２３である。
【００２０】
図５は本発明の実施例３のズームレンズの光路を展開したときの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比１５．０２、Ｆナンバー３．０４〜６．１８である。
【００２１】
図７は本発明の実施例４のズームレンズの光路を展開したときの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比１５．０３、Ｆナンバー３．０７〜６．１８である。
【００２２】
図９は本発明の実施例５のズームレンズの光路を展開したときの広角端におけるレンズ断面図である。図１０（Ａ）、（Ｂ）、（Ｃ）はそれぞれ実施例５のズームレンズの広角端、中間のズーム位置、望遠端における収差図である。実施例３はズーム比１５．０４、Ｆナンバー２．９９〜６．１８である。
【００２３】
図１１は実施例１のズームレンズの広角端において反射部材で光軸を折り曲げた撮影状態の説明図である。図１２（Ａ）、（Ｂ）、（Ｃ）、（Ｄ）は本発明のズームレンズをカメラ本体に収納したときの収納状態（沈胴状態）（非撮影時）の説明図である。図１３（Ａ）、（Ｂ）は撮影時と収納状態のときの機構図である。図１４（Ａ）、（Ｂ）は撮影時と収納状態のときの機構図である。図１５（Ａ）、（Ｂ）は撮影時と収納状態のときの機構図である。図１６は本発明のズームレンズを備えるデジタルカメラ（撮像装置）の要部概略図である。
【００２４】
各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、ＬＦは前群で正の屈折力の第１レンズ群Ｌ１と負の屈折力の第２レンズ群Ｌ２を有している。ＬＭは第３レンズ群Ｌ３よりなる中間群である。ＵＲは反射手段、ＬＲは１以上のレンズ群を有する後群である。
【００２５】
後群ＬＲは実施例１、３乃至５は負の屈折力の第４レンズ群Ｌ４、正の屈折力の第５レンズ群Ｌ５、負の屈折力の第６レンズ群Ｌ６、正の屈折力の第７レンズ群Ｌ７よりなっている。実施例２は正の屈折力の第４レンズ群Ｌ４、負の屈折力の第５レンズ群Ｌ５、正の屈折力の第６レンズ群Ｌ６よりなっている。ＳＰは絞り（開口絞り）である。
【００２６】
反射手段ＵＲはズームレンズの光軸を９０度（９０度±１０度以内）折り曲げる反射面を含む反射プリズムや反射ミラー等からなっている。Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００２７】
矢印は広角端から望遠端へのズーミングにおける各レンズ群の移動軌跡を示している。収差図において、ＦｎｏはＦナンバー、ωは撮影半画角（度）である。球面収差図において実線はｄ線、２点鎖線はｇ線である。非点収差図において実線はｄ線のサジタル像面（ΔＳ）、点線はｄ線のメリディオナル像面（ΔＭ）である。倍率色収差はｇ線によって表している。各実施例において広角端と望遠端は変倍用のレンズ群が機構上、光軸上を移動可能な範囲の両端に位置したときのズーム位置をいう。
【００２８】
以下に、本発明の好ましい実施の形態を、添付の各図に基づいて詳細に説明する。初めに本発明のズームレンズの概略について説明する。本発明のズームレンズでは、広角端から望遠端へのズーミングに際して、少なくとも前群ＬＦを構成する２つのレンズ群を可動とし、反射手段ＵＲを不動としている。
【００２９】
ズーミングに際して不動の反射手段ＵＲを配置することにより、ズームレンズの光路を９０度又は９０度前後（９０°±１０°）折り曲げている。これにより、光学ユニットのカメラの厚み方向の長さを小さくすることが容易となり、高ズーム比の薄型のズームレンズを達成している。また、最も物体側に正の屈折力の第１レンズ群Ｌ１、その像側に負の屈折力の第２レンズ群Ｌ２を配置するとともに、ズーミングに際して少なくとも第１、第２レンズ群Ｌ１、Ｌ２を移動することで収差補正能力を高め、広画角化と高ズーム比化を達成している。
【００３０】
特に、ズーミングに際して第１レンズ群Ｌ１の移動量に比して、第２レンズ群Ｌ２の移動量が小さい構成としている。これにより、広角端において前玉（第１レンズ群Ｌ１）をより像側に配置することができる構成としている。前玉を開口絞りＳＰに近付けて配置すると画面周辺部の光線が前玉を通過する高さが低くなるため、広画角化に伴う前玉有効径の増大を抑制することができる。
【００３１】
一般に、ズームレンズにおいて広画角化・高ズーム比化した場合にはズーミング時の像面湾曲の変動が大きくなる。前群での軸外の主光線の経路を考えると、広角側ではレンズの周辺部を通過し、望遠側ではレンズの中心付近を通過する。一方、開口絞りＳＰ付近よりも像側のレンズ群では、広角側でも望遠側でも軸外の主光線の通過経路があまり大きく変化しない。像面湾曲のズーミング時の変動を補正するためには広角側と望遠側で主光線の通過経路が大きく変化する位置で補正を行うのが効果的である。
【００３２】
そこで、各実施例では第２レンズ群Ｌ２と反射手段ＵＲとの間にズーミングに際して第２レンズ群Ｌ２とは異なる動きをする中間群を配置することで像面湾曲の変動を補正している。撮影状態から非撮影状態で収納状態（沈胴収納）へ移行する際は、反射手段ＵＲが後群ＬＲの光軸方向で像側へ退避するとともに、反射手段ＵＲが退避することにより生じた空間に、第１レンズ群Ｌ１および第２レンズ群Ｌ２を沈胴収納する。
【００３３】
さらに、各実施例では中間群ＬＭを前群ＬＦの光軸とは異なる方向に退避させる。この構成により、カメラの沈胴時の厚みは第１レンズ群Ｌ１、第２レンズ群Ｌ２の厚さで略決まることとなりカメラの薄型化が容易になる。また、開口絞りＳＰに近い中間群ＬＭは有効径が小さいため、退避させるための空間は小さくて十分となる。
【００３４】
図１１、図１２は本発明のズームレンズの実施例１を例として選択したときのズームレンズを有するデジタルスチルカメラの概略構成図である。図１１は撮影状態であり、図１２（Ａ）、（Ｂ）、（Ｃ）、（Ｄ）は各々収納状態（沈胴状態）を表している。
【００３５】
図１２（Ａ）では、反射手段ＵＲと後群ＬＲを後群の光軸方向であって像側へ退避して空間をあけている。そして、前群ＬＦ及び中間群ＬＭをあいた空間に沈胴させている。前群ＬＦは前群の光軸方向で像側へ退避させている。中間群ＬＭは前群ＬＦの光軸方向で像側へと及び後群ＬＲの光軸方向で像側へと退避させている。中間群ＬＭの光軸ＬＭａは前群ＬＦの光軸ＬＦａと後群ＬＲの光軸ＬＲａから外れている。図１２（Ｂ）は、沈胴収納時の状態を表しており、図１２（Ｃ）は図１２（Ｂ）を図中の矢印の方向から見た図である。
【００３６】
図１２（Ｂ）、（Ｃ）では、反射手段ＵＲと後群ＬＲを後群ＬＲの光軸方向であって像側へ退避して空間をあけている。そして、前群ＬＦ及び中間群ＬＭをあいた空間に沈胴させている。このとき、前群ＬＦは前群ＬＦの光軸方向で像側へ退避させて収納している。中間群ＬＭは前群ＬＦの光軸ＬＦａとも後群ＬＲの光軸ＬＲａとも異なる方向に退避させている。
【００３７】
図１２（Ｄ）では反射手段ＵＲと後群ＬＲを後群ＬＲの光軸ＬＲａ方向であって、像側へ退避して空間をあけている。そして、前群ＬＦ及び中間群ＬＭをあいた空間に収納させている。このとき、前群ＬＦは前群ＬＦの光軸ＬＦａ方向で像側へ退避させて収納している。中間群ＬＭは撮影状態の光軸を略９０度（９０度±１０度）回転させてあいた空間に退避している。
【００３８】
図１３（Ａ）、（Ｂ）は図１２（Ａ）の構成を実現する機構の概略図を表している。図１３（Ａ）は撮影時の概略図、図１３（Ｂ）は沈胴収納時の概略図である。沈胴収納時には図１３（Ａ）の状態より中間群ＬＭを前群ＬＦの光軸ＬＦａと平行な中間群回転軸ＭＰを中心として矢印ＬＭｂの方向へ回転させることで中間群ＬＭを前群ＬＦの光軸ＬＦａとは異なる方向に退避させている。そして中間群ＬＭを繰り下げている。
【００３９】
このとき中間群ＬＭの光軸ＬＭａは前群ＬＦの光軸ＬＦａと後群ＬＲの光軸ＬＲａから外れている。また中間群ＬＭは中間群ＬＭの光軸ＬＭａが光軸ＬＦａと光軸ＬＲａで形成される平面外に位置している。図１３（Ｂ）では、中間群ＬＭを反射手段ＵＲの方向へ退避させることで空間を有効に利用してカメラの大きさを小さくしている。撮影時には図１３（Ｂ）に示すように中間群回転軸ＭＰを中心に中間群ＬＭを矢印ＬＭｃの方向に回転させて前群ＬＦの光軸ＬＦａと中間群ＬＭの光軸ＬＭａを一致させ、中間群回転軸ＭＰに沿って中間群ＬＭを繰り出すことで所定の位置に中間群ＬＭを配置する。
【００４０】
図１４（Ａ）、（Ｂ）は図１２（Ｂ）、（Ｃ）の構成を実現する機構の概略図を表している。図１４（Ａ）は撮影時の概略図、図１４（Ｂ）は沈胴収納時の概略図である。沈胴収納時には中間群ＬＭを図１４（Ａ）の状態より前群ＬＦの光軸ＬＦａと平行な中間群回転軸ＭＰを中心として回転させることで中間群ＬＭを前群ＬＦの光軸ＬＦａとは異なる方向に退避させている。そして中間群ＬＭを繰り下げている。このとき中間群ＬＭの光軸ＬＭａは前群ＬＦの光軸ＬＦａと後群ＬＲの光軸ＬＲａから外れている。
【００４１】
撮影時には図１４（Ｂ）に示すように中間群回転軸ＭＰを中心に中間群ＬＭを矢印ＬＭｃの方向へ回転させて前群ＬＦの光軸ＬＦａと中間群ＬＭの光軸ＬＭａを一致させ、中間群回転軸ＭＰに沿って中間群ＬＭを繰り出すことで所定の位置に中間群ＬＭを配置する。
【００４２】
図１５（Ａ）、（Ｂ）は図１２（Ｄ）の構成を実現する機構の概略図を表している。図１５（Ａ）は撮影時の概略図、図１５（Ｂ）は沈胴収納時の概略図である。沈胴収納時には図１５（Ａ）の状態より前群ＬＦの光軸ＬＦａと後群ＬＲの光軸ＬＲａに直交する中間群回転軸ＭＰを中心として中間群ＬＭを矢印ＬＭｂの方向へ回転させることで、中間群ＬＭの光軸ＬＭａと前群ＬＦの光軸ＬＦａが略垂直になるように配置している。撮影時には図１５（Ｂ）に示すように中間群回転軸ＭＰを中心に矢印ＬＭｃのように中間群ＬＭを回転させて前群ＬＦの光軸ＬＦａと中間群ＬＭの光軸ＬＭａを一致させる。
【００４３】
図１５（Ａ）、（Ｂ）で示した機構は変倍時に中間群ＬＭが不動の場合に適した構成である。図１３では中間群ＬＭは前群ＬＦの光軸ＬＦａと平行な中間群回転軸ＭＰを中心に回転して前群ＬＦの光軸及び後群ＬＲの光軸ＬＲａから外れた位置に配置される。中間群ＬＭは中間群ＬＭの光軸ＬＭａが光軸ＬＦａと光軸ＬＲａで形成される平面外に位置するように回転している。
【００４４】
図１４（Ｂ）では光軸ＬＭａが光軸ＬＦａと光軸ＬＲａとで形成される平面内に位置するときもある。
【００４５】
図１５（Ａ）、（Ｂ）では中間群ＬＭは前群ＬＦの光軸ＬＦａと後群ＬＲの光軸ＬＲａに直交する中間群回転軸ＭＰを中心に回転する。このとき図１５（Ｂ）に示すように中間群ＬＭは中間群ＬＭの光軸ＬＭａが光軸ＬＦａと光軸ＬＲとで形成される平面内に位置するように回動する。
【００４６】
各実施例ではこのような、屈曲沈胴式のズームレンズを採用することで、カメラの更なる薄型化を実現している。
【００４７】
各実施例のズームレンズはいずれも、物体側から像側へ順に、正の屈折力の第１レンズ群Ｌ１と、負の屈折力の第２レンズ群Ｌ２を有する前群ＬＦ、中間群ＬＭ、反射手段ＵＲ、１以上のレンズ群を含む後群ＬＲを有している。そしてズーミングに際し、第１、第２レンズ群Ｌ１、Ｌ２と後群ＬＲの１以上のレンズ群が移動する。ここで、反射手段ＵＲはズーミングに際して不動としている。そして広角端から望遠端へのズーミングに際しての第１レンズ群Ｌ１の移動量（絶対値）をＭ１、第２レンズ群Ｌ２の移動量（絶対値）をＭ２とする。
【００４８】
このとき、
１．５＜Ｍ１／Ｍ２＜２０．０        …（１）
なる条件式を満足している。
【００４９】
条件式（１）は、ズーミングにおける第１レンズ群Ｌ１と第２レンズ群Ｌ２の相対的な移動量の比に関し、第２レンズ群Ｌ２の移動量に対し、第１レンズ群Ｌ１の移動量が大きいことを規定した条件式である。第２レンズ群Ｌ２の移動量に対し、第１レンズ群Ｌ１の移動量が大きいレンズ構成としている。つまり、第１レンズ群Ｌ１が広角端から望遠端へのズーミングにかけて物体側に大きく移動するレンズ構成とすることで、広角端において前玉をより像側に配置し、広画角化による前玉有効径の増大を抑制している。
【００５０】
また、第２レンズ群Ｌ２をズーミングに際して可動とすることで、 収差補正の自由度を確保し高ズーム比化を容易にしている。それとともに、第１レンズ群Ｌ１と第２レンズ群Ｌ２の相対的移動量を分担し、望遠端における前玉有効径の増大を抑制している。
【００５１】
条件式（１）の下限を超えて、第１レンズ群Ｌ１の移動量に対して第２レンズ群Ｌ２の移動量が大きくなりすぎると、広角端において前玉（前群ＬＦ）をより物体側に配置する構成となる。このため、広画角化により前玉有効径が増大してしまう。一方、上限を超えて、第１レンズ群Ｌ１の移動量に対して第２レンズ群Ｌ２の移動量が小さくなりすぎると、第２レンズ群Ｌ２の移動による変倍効果が減少する。
【００５２】
つまり、第２レンズ群Ｌ２の屈折力が強まることとなり、第２レンズ群Ｌ２内の負レンズの枚数を増やす必要が生じ、第２レンズ群Ｌ２の群厚が増加することでカメラ厚が増加する。若しくは、第２レンズ群Ｌ２の群内の負レンズにより高屈折率高分散の材料を用いる必要が生じ、ペッツバール和が正の方向に傾くことで像面彎曲の補正が困難となる。さらに色収差の補正も困難となる。各実施例において、より好ましくは、条件式（１）の数値範囲を次の如く設定するのが良い。
【００５３】
１．６＜Ｍ１／Ｍ２＜１８．０        …（１ａ）
各実施例において更に好ましくは次の条件式のうち１以上を満足するのが良い。後群ＬＲはズーミングに際して移動するレンズ群ＬＳｐは開口絞りＳＰを有する。最も物体側のレンズ面である第１レンズ面から開口絞りＳＰまでの広角端における光軸上の距離をＬＳｗ、広角端から望遠端へのズーミングにおけるレンズ群ＬＳｐの移動量（絶対値）をＭｓとする。
【００５４】
第２レンズ群Ｌ２と中間群ＬＭの合成系の広角端における撮影倍率をβ２Ｍｗ、第２レンズ群Ｌ２と中間群ＬＭの合成系の望遠端における撮影倍率をβ２Ｍｔとする。広角端における全系の焦点距離をｆｗ、望遠端における全系の焦点距離をｆｔとし、
Ｚ２Ｍ＝β２Ｍｔ／β２Ｍｗ、Ｚ＝ｆｔ／ｆｗ
とおく。広角端におけるレンズ全長（第１レンズ面から像面までの距離）をＯＡＬｗとする。
【００５５】
但し、最終レンズ面から像面までの間にガラスブロックがあるときはガラスブロックの長さは空気換算長とする。第１レンズ群Ｌ１のうちアッベ数が最も大きい材料よりなる正レンズの材料のアッベ数と屈折率を各々νｄ１ｐ、ｎｄ１ｐとする。このとき次の条件式のうち１以上を満足するのが良い。
【００５６】
０．２０＜（Ｍ２＋Ｍｓ）／ＬＳｗ＜０．４４  …（２）
０．３＜Ｚ２Ｍ／Ｚ＜０．６                  …（３）
０．４０＜ＬＳｗ／ＯＡＬｗ＜０．６６        …（４）
６０．０＜νｄ１ｐ＜１００．０              …（５）
１．４０＜ｎｄ１ｐ＜１．７０                …（６）
次に各条件式の技術的意味について説明する。
【００５７】
条件式（２）は、広角端における最も物体側のレンズ面から開口絞りＳＰまでの距離に対して、第２レンズ群Ｌ２と開口絞りＳＰを有するレンズ群ＬＳｐのズーミングに際しての移動量の和を規定した条件式である。条件式（２）を満足することにより、第２レンズ群Ｌ２とレンズ群ＬＳｐの間に光路折り曲げ用の反射手段ＵＲを配置しつつ、広角端において前玉をより開口絞りＳＰに近い位置に配置とすることができる。つまり、広角端において前玉をより開口絞りＳＰに近い位置に配置することで、広画角化による前玉有効径の増大を抑制している。
【００５８】
条件式（２）の下限を超えると、広角端において第１レンズ面から開口絞りＳＰまでの距離に比して第２レンズ群Ｌ２とレンズ群ＬＳｐの移動量の和が小さくなりすぎ、変倍レンズ群である第２レンズ群Ｌ２の移動量が減少してしまう。つまり、変倍のために第２レンズ群Ｌ２の屈折力が強まり、とくに広角端において像面彎曲が増大し、この補正が困難となる。
【００５９】
一方、上限を超えると、広角端において第１レンズ面から開口絞りＳＰまでの距離に比して第２レンズ群Ｌ２とレンズ群ＬＳｐの移動量の和が大きくなりすぎ、第２レンズ群Ｌ２とレンズ群ＬＳｐの間に光路折り曲げ用の反射手段ＵＲを配置することが困難となる。
【００６０】
条件式（３）は、第２レンズ群Ｌ２と中間群ＬＭの変倍分担量を規定し、光路折り曲げ用の反射手段ＵＲより物体側のレンズ群と像側のレンズ群の変倍分担を規定した条件式である。条件式（３）の下限を超えると、第２レンズ群Ｌ２と中間群ＬＭの変倍分担量が小さくなりすぎ、光路折り曲げ用の反射手段ＵＲより像側での変倍分担を強めるために、光路折り曲げ用の反射手段ＵＲより像側のレンズ系が大型化し、カメラの横幅が増大してしまう。
【００６１】
一方、上限を超えると、第２レンズ群Ｌ２と中間群ＬＭの変倍分担量が大きくなりすぎ、第２レンズ群Ｌ２と中間群ＬＭの屈折力が強まることで、広角端において像面彎曲が増大し、この補正が困難となる。
【００６２】
条件式（４）は、広角端における開口絞りＳＰの位置を規定した条件式である。条件式（４）を満足する構成とすることで、広角端において前玉を開口絞りＳＰにより近い位置に配置し、広画角化による前玉有効径の増大を抑制している。条件式（４）の下限を超えると、前玉から開口絞りＳＰの位置までの距離に比して広角端のレンズ全長が大きくなりすぎ、カメラの横幅が増大してしまう。一方、上限を超えると、広角端において前玉を開口絞りＳＰに近い位置に配置できなくなり、広画角化により前玉有効径が増大してしまう。
【００６３】
条件式（５）は、第１レンズ群Ｌ１に含まれる正レンズの材料のアッベ数を規定した条件式である。第１レンズ群Ｌ１の正レンズの少なくとも１つに条件式（５）を満足する低分散材料を用いることで、広角端から望遠端までズーム全域で色収差の補正を容易にしている。
【００６４】
条件式（５）の下限を超えると、正レンズの材料の分散が大きくなりすぎ、広角端において倍率色収差、望遠端において軸上色収差が補正不足となる。一方、上限を超えると、色収差の補正には好適なものの、この領域の材料は屈折率が低い傾向にあるためレンズ群厚が増大し、望遠端において球面収差、コマ収差等が増大し、これらの補正が困難となる。
【００６５】
条件式（６）は、第１レンズ群Ｌ１に含まれる最もアッベ数の大きい材料よりなる正レンズの屈折率を規定した条件式である。第１レンズ群Ｌ１に含まれる最もアッベ数の大きい正レンズの屈折率を条件式（６）を満足するように構成することで、レンズ群厚の薄型化と望遠端において球面収差、コマ収差等の補正を容易にしている。このとき、第１レンズ群Ｌ１は非撮影時の沈胴レンズ群であるため、レンズ群厚の薄型化によりカメラ厚を薄型化することが容易になる。
【００６６】
条件式（６）の下限を超えて、正レンズの材料の屈折率が低くなりすぎると、レンズ群厚が大型化するとともに望遠端において球面収差、コマ収差等が増大し、これらの補正が困難となる。
【００６７】
一方、上限を超えて、正レンズの材料の屈折率が高くなりすぎると、低分散の材料が選択できなり、広角端において倍率色収差と望遠端において軸上色収差の補正が困難となる。各実施例において、より好ましくは条件式（２）乃至（６）の数値範囲を以下の範囲とするのがよい。
【００６８】
０．２５＜（Ｍ２＋Ｍｓ）／ＬＳｗ＜０．４０    …（２ａ）
０．３０＜Ｚ２Ｍ／Ｚ＜０．５５                …（３ａ）
０．５００＜ＬＳｗ／ＯＡＬｗ＜０．６５５      …（４ａ）
６１．０＜νｄ１ｐ＜９８．０                  …（５ａ）
１．４３＜ｎｄ１ｐ＜１．６５                  …（６ａ）
各実施例において、さらに好ましくは条件式（２ａ）乃至（６ａ）の数値範囲を以下の範囲とするのがよい。
【００６９】
０．３０＜（Ｍ２＋Ｍｓ）／ＬＳｗ＜０．３９    …（２ｂ）
０．３５＜Ｚ２Ｍ／Ｚ＜０．５０                …（３ｂ）
０．５９０＜ＬＳｗ／ＯＡＬｗ＜０．６５１      …（４ｂ）
６２．０＜νｄ１ｐ＜９６．０                  …（５ｂ）
１．４５＜ｎｄ１ｐ＜１．６０                  …（６ｂ）
以下、図１を参照して、本発明の実施例１のズームレンズについて説明する。
【００７０】
（実施例１）
図１の実施例１は物体側から像側へ順に、正、負、正、負、正、負、正の屈折力の第１レンズ群Ｌ１乃至第７レンズ群Ｌ７を有する、７群ズームレンズである。
【００７１】
実施例１では、ズーミングに際して反射手段ＵＲ、第４レンズ群Ｌ４、第６レンズ群Ｌ６は不動としている。広角端から望遠端へのズーミングに際して第１レンズ群Ｌ１、第５レンズ群（後群ＬＲの第２番目のレンズ群）Ｌ５を物体側へ移動させ、第２レンズ群Ｌ２、第３レンズ群Ｌ３は像側へ移動させている。
【００７２】
開口絞りＳＰは、第５レンズ群Ｌ５内に配置し、ズーミングに際して第５レンズ群Ｌ５と一体で移動している。また、反射手段ＵＲとしては、全反射面を利用したプリズムを採用している。ズーミングに際して第３レンズ群Ｌ３を第２レンズ群Ｌ２と異なる軌跡で移動することによってズーミングに伴う像面湾曲の変動を抑制している。
【００７３】
反射手段ＵＲの像側に負の屈折力の第４レンズ群Ｌ４を配置している。これにより第５レンズ群Ｌ５の正の屈折力が強まり、第５レンズ群Ｌ５での変倍分担を増加し、反射手段ＵＲより物体側のレンズ群での変倍分担を緩和しつつ、全系での高ズーム比化を容易にしている。
【００７４】
変倍に伴う像面変動の補償は第７レンズ群（後群ＬＲの第４番目のレンズ群）Ｌ７を像側に非線形な軌跡で移動させることで行っている。無限遠物体から近距離物体への合焦は、第７レンズ群Ｌ７を光軸上で物体側へ移動させて行うリアフォーカス方式を採用している。ズームレンズが振動したときの画像ぶれの補正は第５レンズ群Ｌ５を構成する一部のレンズ群を光軸に対して垂直方向の成分を持つように移動させて行っている。
【００７５】
（実施例２）
以下、図３を参照して、本発明の実施例２のズームレンズについて説明する。図３の実施例２は物体側から像側へ順に、正、負、負、正、負、正の屈折力の第１レンズ群Ｌ１乃至第６レンズ群Ｌ６を有する、６群ズームレンズである。
【００７６】
実施例２では、ズーミングに際して第３レンズ群Ｌ３、反射手段ＵＲ、第５レンズ群Ｌ５は不動としている。広角端から望遠端へのズーミングに際して第１レンズ群Ｌ１、第４レンズ群（後群ＬＲの第１番目のレンズ群）Ｌ４を物体側へ移動させ、第２レンズ群Ｌ２は像側へ移動させている。
【００７７】
開口絞りＳＰは第４レンズ群Ｌ４内に配置し、ズーミングに際して第４レンズ群Ｌ４と一体で移動している。また、反射手段ＵＲとしては全反射面を利用したプリズムを採用している。ズーミングに際して第３レンズ群Ｌ３を不動とし、第２レンズ群Ｌ２との相対的な位置をズーミングに際して変化させることでズーミングに伴う像面湾曲の変動を抑制している。
【００７８】
変倍に伴う像面変動の補償は第６レンズ群（後群ＬＲの第３番目のレンズ群）Ｌ６を像側に非線形な軌跡で移動させることで行っている。無限遠物体から近距離物体への合焦は、第６レンズ群Ｌ６を光軸上で物体側へ移動させて行うリアフォーカス方式を採用している。ズームレンズが振動したときの画像ぶれの補正は第４レンズ群Ｌ４を構成する一部のレンズ群を光軸に対して垂直方向の成分を持つように移動させて行っている。
【００７９】
（実施例３）
以下、図５を参照して、本発明の実施例３のズームレンズについて説明する。図５の実施例３のズームレンズのズームタイプは図１の実施例１と同じ７群ズームレンズである。実施例３は実施例１と比べて条件式（１）のパラメータＭ１／Ｍ２の比を大きくしている。これにより、実施例１よりも前玉有効径の小型化を容易にしている。
【００８０】
（実施例４）
以下、図７を参照して、本発明の実施例４のズームレンズについて説明する。図７の実施例４のズームレンズのズームタイプは図１の実施例１と同じ７群ズームレンズである。本実施例では第２レンズ群Ｌ２を物体側から像側へ順に、負レンズ、負レンズ、正レンズ、より構成している。第２レンズ群Ｌ２の像側に中間レンズ群として正の屈折力の第３レンズ群Ｌ３を配置し、ズーミングに際して第２レンズ群とは異なる軌跡で移動することにより、ズーミングに伴う像面湾曲の変動を抑制している。
【００８１】
また、実施例１と比べて条件式（１）のパラメータＭ１／Ｍ２の比を大きくしている。これにより、実施例１よりも前玉有効径の小型化を容易にしている。
【００８２】
（実施例５）
以下、図９を参照して、本発明の実施例５のズームレンズについて説明する。図９の実施例５のズームレンズのズームタイプは図１の実施例１と同じ７群ズームレンズである。実施例５では反射手段ＵＲとして反射ミラーを採用している点が実施例１と異なっている。いずれの実施例においても、ズーミングに際して第１レンズ群Ｌ１と、第２レンズ群Ｌ２を可動とし、条件式（１）〜（５）を満足する構成としている。これにより、広画角かつ高ズーム比で、カメラ全体の小型、及び薄型化を容易に実現している。
【００８３】
以上、本発明の好ましい実施形態について説明したが、本発明はこれらの実施形態に限定されず、その要旨の範囲内で種々の変形及び変更が可能である。例えば、各実施例のズームレンズにおいて、ズーミングに伴うＦナンバーの変動を制御するため、ズーム位置に応じて開口絞りＳＰの絞り径の制御を行ってもよい。また、電子撮像素子を有するデジタルカメラの場合には、ズームレンズに残存する歪曲収差を電気的に補正（画像処理での補正）しても良い。
【００８４】
次に本発明のズームレンズを撮影光学系として用いたデジタルカメラ（光学機器）の実施形態を図１６を用いて説明する。図１６において、２０はデジタルカメラ本体、２１は上述の実施例のズームレンズによって構成された撮影光学系である。ＵＲは反射部材（反射プリズム）である。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。
【００８５】
上記表示素子は液晶パネル等によって構成され、撮像素子２２上に形成された画像が表示される。このように本発明のズームレンズをデジタルカメラ等に適用することにより、小型で高い光学性能を有する撮像装置を実現している。
【００８６】
以下、実施例１乃至５に対応する数値実施例１乃至５の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、ｖｄｉはそれぞれｄ線に対する第ｉ番目の光学部材の材料の屈折率、アッベ数である。ｆは焦点距離、ＦｎｏはＦナンバー、ωは半画角である。ＢＦはバックフォーカスであり、最終面から像面までの距離である。ここで、アッべ数νｄは以下の式であらわされる。
【００８７】
νｄ＝（Ｎｄ−１）／（ＮＦ−ＮＣ）
Ｎｄ：フラウンホーファー線のｄ線（波長５８７．６ｎｍ）に対する屈折率
ＮＦ：フラウンホーファー線のＦ線（波長４８６．１ｎｍ）に対する屈折率
ＮＣ：フラウンホーファー線のＣ線（波長６５６．３ｎｍ）に対する屈折率
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］＋Ａ４×ｈ４＋Ａ６×ｈ６＋Ａ８×ｈ８＋Ａ１０×ｈ１０
なる式で表している。なお、数値の「Ｅ±ＸＸ」は「×１０±ＸＸ」を意味している。また、前述の各条件式と数値実施例との関係を（表１）に示す。
【００８８】
（数値実施例１）
単位 mm
面データ
面番号       r        d      nd         νd       有効径
1         32.029    1.10   1.84666    23.8       24.00
2         18.721    4.20   1.49700    81.5       21.47
3        137.845    0.10                         20.15
4         21.756    2.33   1.77250    49.6       17.83
5        115.450  (可変)                         17.40
6        105.316    1.05   1.84954    40.1       13.82
7*         6.762    3.40                          9.92
8        -14.240    0.60   1.88300    40.8        9.66
9         15.105  (可変)                          9.70
10         13.925    2.38   1.94595    18.0        9.81
11        -36.197  (可変)                          9.76
12          ∞       8.00   1.83400    37.2        7.60
13          ∞       0.91                          7.00
14        -13.841    0.60   1.73945    46.0        6.94
15        -26.251  (可変)                          7.11
16*         9.505    2.75   1.55332    71.7        8.05
17*       -21.703    1.00                          7.71
18(絞り)    ∞       1.00                          7.00
19         12.479    0.60   1.84666    23.8        6.95
20          7.974    1.49                          6.71
21         17.861    3.42   1.53678    49.4        7.07
22         -9.479    0.60   1.80610    33.3        7.06
23        -18.768  (可変)                          7.14
24        -55.347    0.70   1.77250    49.6        6.90
25         14.837  (可変)                          6.96
26*        12.355    2.98   1.48749    70.2       10.76
27        -22.908  (可変)                         10.67
28          ∞       0.30   1.51633    64.1       10.00
29          ∞       1.60                         10.00
30          ∞       0.50   1.51633    64.1       10.00
31          ∞       1.13                         10.00
像面        ∞   
【００８９】
非球面データ
第7面
K = 3.63736e-001  A 4=-1.47977e-004  A 6=-9.03710e-006  A 8= 3.60559e-007  A10=-1.49221e-008  
第16面
K =-3.39905e-001  A 4=-9.91750e-005  A 6= 1.16068e-007  A 8=-5.81324e-009  
第17面
K =-7.38472e-001  A 4= 1.02437e-004  
第26面
K = 0.00000e+000  A 4=-4.39539e-005  A 6=-7.05080e-007  A 8= 7.78135e-009  
各種データ
ズーム比     15.03 
広角     中間     望遠
焦点距離       5.18    23.50    77.83  
Fナンバー      3.07     4.71     6.18  
画角          32.50     9.36     2.85  
像高           3.30     3.88     3.88  
レンズ全長    77.97    82.79    88.34  
BF             1.13     1.13     1.13  
d 5            0.50     9.72    16.50  
d 9            0.05     0.11     0.11  
d11            6.48     1.97     0.80  
d15           12.86     2.62     0.30  
d23            0.83    11.08    13.40  
d25            6.45     5.77    12.79  
d27            8.06     8.79     1.70  
入射瞳位置    16.22    47.29   131.09  
射出瞳位置   -54.58  -122.21    66.63  
前側主点位置  20.92    66.31   301.40  
後側主点位置  -4.05   -22.37   -76.70  
ズームレンズ群データ
群  始面    焦点距離  レンズ構成長  前側主点位置  後側主点位置
1    1      30.65         7.72         2.16         -2.75
2    6      -3.47         5.05         2.09         -1.59
3   10      10.88         2.38         0.35         -0.90
PR   12       ∞           8.00         2.18         -2.18
4   14     -40.42         0.60        -0.39         -0.74
5   16      12.33        10.86         2.17         -7.18
6   24     -15.08         0.70         0.31         -0.08
7   26      16.93         2.98         0.72         -1.34
単レンズデータ
レンズ  始面  焦点距離
1       1    -55.31
2       2     43.08
3       4     34.33
4       6     -8.55
5       8     -8.22
6      10     10.88
7      12      0.00
8      14    -40.42
9      16     12.33
10      19    -27.78
11      21     12.06
12      22    -24.46
13      24    -15.08
14      26     16.93
15      28      0.00
16      30      0.00
【００９０】
（数値実施例２）
単位 mm
面データ
面番号       r        d      nd         νd       有効径
1         32.926    1.10   1.84666    23.8       24.00
2         19.032    4.25   1.49700    81.5       21.58
3        197.655    0.10                         21.19
4         20.999    2.77   1.77250    49.6       20.13
5         96.270  (可変)                         19.68
6        100.847    1.05   1.84954    40.1       12.85
7*         6.111    3.07                          9.09
8        -15.125    0.60   1.88300    40.8        8.84
9         15.138    0.10                          8.77
10         13.024    1.99   1.94595    18.0        8.89
11        -37.471  (可変)                          8.79
12        -12.687    0.60   1.75561    50.7        7.58
13        -20.000    0.5                           7.67
14          ∞       8.00   1.83400    37.2        7.60
15          ∞     (可変)                          7.31
16*         7.497    2.68   1.55332    71.7        7.69
17*       -72.097    1.00                          7.20
18(絞り)    ∞       1.00                          6.31
19          7.875    0.60   1.84666    23.8        6.43
20          5.523    1.46                          6.07
21          9.844    3.63   1.55847    44.3        6.36
22         -6.804    0.60   1.80610    33.3        6.19
23       -339.229  (可変)                          6.31
24        -23.977    0.70   1.77250    49.6        7.94
25         27.546  (可変)                          8.23
26*        11.170    3.41   1.53167    52.6       10.17
27        -16.651  (可変)                         10.13
28          ∞       0.30   1.51633    64.1       10.00
29          ∞       1.60                         10.00
30          ∞       0.50   1.51633    64.1       10.00
31          ∞       0.15                         10.00
像面        ∞   
【００９１】
非球面データ
第7面
K = 8.65644e-002  A 4=-5.64471e-005  A 6=-4.92773e-006  A 8= 4.52069e-008  A10= 6.04357e-009  
第16面
K =-2.64642e-001  A 4=-1.02201e-004  A 6=-7.64479e-007  A 8=-3.10009e-008  
第17面
K = 3.95726e+001  A 4= 2.17275e-005  
第26面
K = 0.00000e+000  A 4=-1.73959e-004  A 6= 3.97532e-007  A 8=-1.37654e-008  
各種データ
ズーム比     15.03 
広角     中間     望遠
焦点距離       5.18    23.50    77.83  
Fナンバー      3.07     4.87     6.23  
画角          32.50     9.36     2.85  
像高           3.30     3.88     3.88  
レンズ全長    71.38    80.26    84.44  
BF             0.15     0.15     0.15  
d 5            0.54    10.40    16.54  
d11            3.69     2.71     0.80  
d15           14.19     2.88     0.30  
d23            0.89    12.20    14.77  
d25            3.08     1.31     7.64  
d27            7.22     8.99     2.62  
入射瞳位置    16.01    53.17   141.14  
射出瞳位置   -35.91   -76.85    43.91  
前側主点位置  20.44    69.50   357.39  
後側主点位置  -5.03   -23.35   -77.68  
ズームレンズ群データ
群  始面    焦点距離  レンズ構成長  前側主点位置  後側主点位置
1    1      29.94         8.21         2.15         -3.02
2    6      -6.86         6.82         0.61         -4.70
3   12     -47.60         0.60        -0.61         -0.97
PR   14       ∞           8.00         2.18         -2.18
4   16      13.18        10.98        -1.65         -8.60
5   24     -16.50         0.70         0.18         -0.21
6   26      13.13         3.41         0.93         -1.39
単レンズデータ
レンズ  始面  焦点距離
1       1    -55.28
2       2     42.04
3       4     34.22
4       6     -7.70
5       8     -8.49
6      10     10.42
7      12    -47.60
8      14      0.00
9      16     12.42
10      19    -24.74
11      21      7.82
12      22     -8.62
13      24    -16.50
14      26     13.13
15      28      0.00
16      30      0.00
【００９２】
（数値実施例３）
単位 mm
面データ
面番号       r        d      nd         νd       有効径
1         33.686    1.10   1.84666    23.8       22.40
2         18.859    3.80   1.49700    81.5       20.12
3        175.906    0.10                         19.93
4         21.746    2.33   1.77250    49.6       19.57
5        123.275  (可変)                         19.37
6        104.106    1.05   1.88300    40.8       13.09
7*         7.100    3.40                          9.74
8        -12.356    0.60   1.77250    49.6        9.32
9         13.802  (可変)                          9.31
10         15.240    2.00   1.94595    18.0        9.35
11        -37.509  (可変)                          9.31
12          ∞       8.00   1.83400    37.2        8.49
13          ∞       0.91                          7.15
14        -14.413    0.60   1.73945    46.0        7.00
15        -29.265  (可変)                          7.03
16*         9.860    2.75   1.55332    71.7        7.05
17*       -20.490    1.00                          7.12
18(絞り)    ∞       1.00                          6.74
19         10.824    0.60   1.84666    23.8        6.34
20          7.138    1.49                          6.00
21         15.225    3.42   1.53678    49.4        5.98
22         -6.825    0.60   1.80610    33.3        5.98
23        -18.563  (可変)                          6.23
24        -26.670    0.70   1.65160    58.5        7.30
25         21.107  (可変)                          7.53
26*        12.833    2.98   1.48749    70.2       10.54
27        -16.534  (可変)                         10.63
28          ∞       0.30   1.51633    64.1       10.00
29          ∞       1.60                         10.00
30          ∞       0.50   1.51633    64.1       10.00
31          ∞       1.13                         10.00
像面        ∞   
【００９３】
非球面データ
第7面
K = 3.63736e-001  A 4=-1.03251e-004  A 6=-9.72456e-006  A 8= 2.58106e-007  A10=-8.90425e-009  
第16面
K =-3.39905e-001  A 4=-2.66377e-004  A 6=-2.72495e-005  A 8= 1.33190e-006  A10=-7.74045e-008  
第17面
K =-7.38472e-001  A 4=-1.97283e-004  A 6=-2.61641e-005  A 8= 1.09116e-006  A10=-5.79474e-008  
第26面
K = 0.00000e+000  A 4=-8.11120e-005  A 6=-2.48436e-006  A 8= 9.41743e-008  A10=-1.33171e-009  
各種データ
ズーム比     15.02 
広角     中間     望遠
焦点距離       5.18    21.05    77.83  
Fナンバー      3.04     4.35     6.18  
画角          32.49    10.43     2.85  
像高           3.30     3.88     3.88  
レンズ全長    73.17    82.08    88.89  
BF             1.13     1.13     1.13  
d 5            0.50    10.24    17.15  
d 9            0.14     0.54     0.58  
d11            2.36     1.08     1.02  
d15           12.86     2.96     0.77  
d23            0.83    10.74    12.93  
d25            6.45     4.77    13.41  
d27            8.06     9.79     1.08  
入射瞳位置    15.25    48.92   147.53  
射出瞳位置   -79.80  -297.81    38.91  
前側主点位置  20.10    68.48   385.70  
後側主点位置  -4.05   -19.91   -76.70  
ズームレンズ群データ
群  始面    焦点距離  レンズ構成長  前側主点位置  後側主点位置
1    1      30.53         7.33         2.08         -2.55
2    6      -3.53         5.05         2.09         -1.61
3   10      11.67         2.00         0.30         -0.74
PR   12       ∞           8.00         2.18         -2.18
4   14     -39.08         0.60        -0.34         -0.69
5   16      12.77        10.86         1.51         -7.41
6   24     -17.98         0.70         0.24         -0.19
7   26      15.33         2.98         0.91         -1.17
単レンズデータ
レンズ  始面  焦点距離
1       1    -52.39
2       2     42.16
3       4     33.84
4       6     -8.67
5       8     -8.36
6      10     11.67
7      12      0.00
8      14    -39.08
9      16     12.43
10      19    -26.76
11      21      9.28
12      22    -13.70
13      24    -17.98
14      26     15.33
15      28      0.00
16      30      0.00
【００９４】
(数値実施例４)
単位 mm
面データ
面番号       r        d      nd         νd       有効径
1         33.070    1.10   1.84666    23.8       23.47
2         18.928    4.00   1.49700    81.5       21.07
3        154.552    0.10                         20.49
4         21.479    2.50   1.77250    49.6       20.10
5        105.424  (可変)                         19.84
6         61.111    1.05   1.88300    40.8       13.29
7*         6.737    3.40                          9.68
8        -11.610    0.60   1.77250    49.6        9.45
9         14.163    0.05                          9.53
10         14.445    1.58   1.94595    18.0        9.56
11       -620.197  (可変)                          9.54
12         90.862    1.00   1.94595    18.0        9.51
13        -65.867  (可変)                          9.46
14          ∞       8.00   1.83400    37.2        8.53
15          ∞       0.91                          7.23
16        -16.269    0.60   1.73945    46.0        7.07
17        -32.487  (可変)                          7.09
18*         9.626    2.75   1.55332    71.7        6.92
19*       -24.444    1.00                          6.85
20(絞り)    ∞       1.00                          6.54
21         11.032    0.60   1.84666    23.8        6.33
22          7.210    1.49                          6.08
23         15.683    3.42   1.53678    49.4        6.33
24         -7.721    0.60   1.80610    33.3        6.32
25        -19.521  (可変)                          6.48
26        -19.775    0.70   1.65160    58.5        7.59
27         32.990  (可変)                          7.87
28*        12.817    2.98   1.48749    70.2       10.80
29        -17.092  (可変)                         10.88
30          ∞       0.30   1.51633    64.1       10.00
31          ∞       1.60                         10.00
32          ∞       0.50   1.51633    64.1       10.00
33          ∞       1.13                         10.00
像面        ∞   
【００９５】
非球面データ
第7面
K = 3.63736e-001  A 4=-1.40701e-004  A 6=-8.31236e-006  A 8= 2.76507e-007  A10=-1.15245e-008  
第18面
K =-3.39905e-001  A 4=-1.53687e-004  A 6=-1.21840e-005  A 8= 3.27839e-007  A10=-2.34435e-008  
第19面
K =-7.38472e-001  A 4=-5.83455e-005  A 6=-1.56283e-005  A 8= 5.85910e-007  A10=-2.92886e-008  
第28面
K = 0.00000e+000  A 4=-1.12676e-004  A 6=-2.47357e-007  A 8= 8.81652e-009  A10=-1.33887e-010  
各種データ
ズーム比     15.03 
広角     中間     望遠
焦点距離       5.18    21.22    77.83  
Fナンバー      3.07     4.34     6.18  
画角          32.50    10.35     2.85  
像高           3.30     3.88     3.88  
レンズ全長    74.86    83.75    90.45  
BF             1.13     1.13     1.13  
d 5            0.50    10.48    17.30  
d11            0.30     1.10     1.33  
d13            2.89     0.95     0.67  
d17           12.86     2.62     0.29  
d25            0.83    11.07    13.41  
d27            6.45     4.64    13.08  
d29            8.06     9.92     1.41  
入射瞳位置    15.91    51.78   154.49  
射出瞳位置   -79.20  -313.18    39.96  
前側主点位置  20.76    71.57   388.34  
後側主点位置  -4.05   -20.09   -76.70  
ズームレンズ群データ
群  始面    焦点距離  レンズ構成長  前側主点位置  後側主点位置
1    1      30.93         7.70         2.06         -2.80
2    6      -5.31         6.68         1.53         -3.31
3   12      40.49         1.00         0.30         -0.22
PR   14       ∞           8.00         2.18         -2.18
4   16     -44.78         0.60        -0.35         -0.70
5   18      13.14        10.86         1.60         -7.41
6   26     -18.88         0.70         0.16         -0.26
7   28      15.53         2.98         0.89         -1.19
単レンズデータ
レンズ  始面  焦点距離
1       1    -54.21
2       2     42.98
3       4     34.47
4       6     -8.65
5       8     -8.18
6      10     14.94
7      12     40.49
8      14      0.00
9      16    -44.78
10      18     12.85
11      21    -26.49
12      23     10.16
13      24    -16.21
14      26    -18.88
15      28     15.53
16      30      0.00
17      32      0.00
【００９６】
(数値実施例５)
単位 mm
面データ
面番号       r        d      nd         νd       有効径
1         33.058    1.10   1.84666    23.8       27.05
2         18.833    4.80   1.49700    81.5       24.05
3        148.216    0.10                         23.07
4         21.166    2.70   1.77250    49.6       20.52
5         98.948  (可変)                         20.21
6         47.776    1.05   1.88300    40.8       15.00
7*         6.742    3.80                         10.60
8        -13.218    0.60   1.77250    49.6        9.90
9         15.018    0.05                          9.90
10         14.680    1.58   1.94595    18.0        9.90
11       1856.547  (可変)                          9.90
12         93.792    1.00   1.94595    18.0        9.90
13        -61.315  (可変)                          9.90
14          ∞       5.41                          8.73
15        -15.062    0.60   1.73945    46.0        7.23
16        -37.777  (可変)                          7.26
17*         9.357    2.75   1.55332    71.7        7.55
18*       -27.744    1.00                          7.40
19(絞り)    ∞       1.00                          7.09
20         10.777    0.60   1.84666    23.8        6.71
21          7.517    1.49                          6.37
22         16.730    3.42   1.53678    49.4        6.34
23         -7.584    0.60   1.80610    33.3        5.96
24        -19.521  (可変)                          5.96
25        -20.312    0.70   1.65160    58.5        6.62
26         26.575  (可変)                          6.83
27*        12.839    2.98   1.48749    70.2       10.03
28        -19.325  (可変)                         10.10
29          ∞       0.30   1.51633    64.1       10.00
30          ∞       1.60                         10.00
31          ∞       0.50   1.51633    64.1       10.00
32          ∞       1.13                         10.00
像面        ∞   
【００９７】
非球面データ
第7面
K = 3.63736e-001  A 4=-1.30264e-004  A 6=-1.45258e-005  A 8= 8.09968e-007  A10=-2.55456e-008  
第17面
K =-3.39905e-001  A 4= 1.06364e-005  A 6=-1.19830e-005  A 8= 1.15876e-006  A10=-2.53477e-008  
第18面
K =-7.38472e-001  A 4= 1.46088e-004  A 6=-1.47679e-005  A 8= 1.49319e-006  A10=-3.46513e-008  
第27面
K = 0.00000e+000  A 4=-8.01073e-005  A 6=-7.70152e-007  A 8= 4.56425e-008  A10=-7.02507e-010  
各種データ
ズーム比     15.04 
広角     中間     望遠
焦点距離       5.18    21.28    77.87  
Fナンバー      2.99     4.41     6.18  
画角          32.51    10.32     2.85  
像高           3.30     3.88     3.88  
レンズ全長    76.27    84.72    91.26  
BF             1.13     1.13     1.13  
d 5            0.50    10.00    16.65  
d11            0.20     0.62     0.71  
d13            6.50     4.98     4.85  
d16           12.86     2.62     0.27  
d24            0.83    11.08    13.43  
d26            6.45     5.82    13.74  
d28            8.06     8.74     0.75  
入射瞳位置    18.05    54.70   161.12  
射出瞳位置   -63.95  -341.78    46.71  
前側主点位置  22.82    74.66   372.01  
後側主点位置  -4.05   -20.15   -76.74  
ズームレンズ群データ
群  始面    焦点距離  レンズ構成長  前側主点位置  後側主点位置
1    1      31.12         8.70         2.45         -3.08
2    6      -5.73         7.08         1.58         -3.62
3   12      39.32         1.00         0.31         -0.20
PR   14       ∞           0.00         0.00         -0.00
4   15     -34.26         0.60        -0.23         -0.58
5   17      12.81        10.86         1.59         -7.39
6   25     -17.56         0.70         0.18         -0.24
7   27      16.32         2.98         0.83         -1.24
単レンズデータ
レンズ  始面  焦点距離
1       1    -53.59
2       2     42.88
3       4     34.34
4       6     -9.00
5       8     -9.02
6      10     15.64
7      12     39.32
8      15    -34.26
9      17     12.99
10      20    -32.05
11      22     10.22
12      23    -15.74
13      25    -17.56
14      27     16.32
15      29      0.00
16      31      0.00
【００９８】
【表１】
2013235093.tif 000003
【符号の説明】
【００９９】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群    ＵＲ  光路折り曲げ素子を有する反射手段
ＬＦ  前群    ＬＭ  中間群
【図１】
2013235093.tif 000004
【図２】
2013235093.tif 000005
【図３】
2013235093.tif 000006
【図４】
2013235093.tif 000007
【図５】
2013235093.tif 000008
【図６】
2013235093.tif 000009
【図７】
2013235093.tif 000010
【図８】
2013235093.tif 000011
【図９】
2013235093.tif 000012
【図１０】
2013235093.tif 000013
【図１１】
2013235093.tif 000014
【図１２】
2013235093.tif 000015
【図１３】
2013235093.tif 000016
【図１４】
2013235093.tif 000017
【図１５】
2013235093.tif 000018
【図１６】
2013235093.tif 000019